(57)【要約】【課題】  着用中に大きな位置ずれを生じるおそれはなく、かつ、通気性に優れた使い捨ておむつを提供する。【解決手段】  前後ウエスト域１３，１４のうちの少なくとも一方のウエスト域１３が伸縮可能であって、該ウエスト域１３が、ウエスト開口縁部において横方向Ｘへ延びる第１伸縮域１３Ａと、第１伸縮域１３Ａと一方のウエスト域１３の内端縁との間において横方向Ｘへ延びる第２伸縮域１３Ｂとに区分されている。第２伸縮域１３Ｂにはウエスト弾性要素２４が配設されており、それによって、第２伸縮域１３Ｂは、第１伸縮域１３Ａよりも高い伸長応力を有している。該ウエスト域１３には、縦方向Ｙへ延びる複数の通気路２５が形成されており、第２伸縮域１３Ｂにおける通気路２５が、第１伸縮域１３Ａにおけるそれよりも幅狭になっている。【選択図】図２
2010200974.tif 000002
【特許請求の範囲】
【請求項１】
縦方向及び横方向と、肌当接面側及びそれに対向する非肌当接面側と、前ウエスト域と、後ウエスト域と、前記前後ウエスト域間に位置するクロッチ域と、ウエスト開口及び一対のレッグ開口とを含み、前記前後ウエスト域のうちの少なくとも一方のウエスト域が伸縮可能である使い捨ておむつにおいて、
前記一方のウエスト域が、前記非肌当接面側に位置する非伸縮性シートと、前記肌当接面側に位置する透湿性の伸縮性シートとを含み、
前記非伸縮性シートと前記伸縮性シートとの間に前記縦方向へ延びる複数の通気路が形成されており、
前記一方のウエスト域が、前記ウエスト開口縁部において前記横方向へ延びる第１伸縮域と、前記第１伸縮域と前記一方のウエスト域の内端縁との間において前記横方向へ延び、かつ、前記横方向へ延びるウエスト弾性要素が配設されていることによって前記第１伸縮域よりも高い伸長応力を有する第２伸縮域とに区分されており、
前記第２伸縮域における前記通気路が、前記第１伸縮域におけるそれよりも幅狭であることを特徴とする前記おむつ。
【請求項２】
前記非伸縮性シートと前記伸縮性シートとが、前記縦方向へほぼ並行に延びる複数条の接着ラインによって接合されており、前記通気路が、隣り合う前記接着ラインどうしの間の前記非伸縮性シートが外方へ凸となることによって形成された管状である請求項１記載のおむつ。
【請求項３】
前記前後ウエスト域を形成する環状ウエストパネルと、前記環状ウエストパネルの肌当接面側に取り付けられ、前記クロッチ域から前記前後ウエスト域へ延び、吸液性コアを有する吸収性シャーシとをさらに含む請求項１又は２記載のおむつ。
【請求項４】
前記ウエスト弾性要素が、前記吸収性シャーシの前後端縁部の上方において、前記一方のウエスト域の両側縁間を一連に延びる上方ウエスト弾性要素と、前横方向において離間対向する一対の下方ウエスト弾性要素とから構成されており、前記各下方ウエスト弾性要素が、前記一方のウエスト域の側縁から前記吸液性コアの両側縁の外方まで延びている請求項１〜３のいずれかに記載のおむつ。
【請求項５】
前記上方ウエスト弾性要素が前記下方ウエスト弾性要素と異なる伸長応力を有する請求項４記載のおむつ。
【請求項６】
前記一方のウエスト域において、前記伸縮性シートと前記非伸縮性シートとを貫通する複数の通気孔が形成されている請求項１〜５のいずれかに記載のおむつ。
【請求項７】
前記ウエスト弾性要素が、前記横方向へ延びる複数条のストランド状の弾性部材からなる請求項１〜６のいずれかに記載のおむつ。
【請求項８】
前記伸縮性シートが親水性を有する請求項１〜７のいずれかに記載のおむつ。
【発明の詳細な説明】
【技術分野】
【０００１】
本発明は、吸収性着用物品、特に、前後ウエスト域が弾性伸縮性を有し、着用者の身体への適度なフィット性を有するとともに、通気性に優れた使い捨ておむつに関する。
【背景技術】
【０００２】
通気性とフィット性との両方を実現するための構成を有する使い捨ておむつは一般的に知られている。例えば、特許文献１には、前後ウエスト域のうちの少なくとも一方のウエスト域の肌当接面側に通気性シートが接合された使い捨ておむつが開示されている。
【先行技術文献】
【特許文献】
【０００３】
【特許文献１】特開２０００−１８９４５４号公報
【発明の概要】
【発明が解決しようとする課題】
【０００４】
特許文献１に開示された発明では、複数の開孔を有する親水性の通気性シートが前後ウエスト域のうちの少なくとも一方のウエスト域の肌当接面側に固着されているので、通気性が向上する。また、通気性シートと重なって、前後ウエスト開口縁部において横方向へ延びる複数条のストランド状のウエスト弾性要素を配設することによって、一方のウエスト域の位置ずれが防止されている。
【０００５】
しかし、このようにストランド状のウエスト弾性要素が通気性シートと重なって配置されていることによって、通気性シートにはウエスト弾性要素の収縮の影響により、肌当接面側に不規則な大小の皺が形成され、通気性シートの一部が着用者の身体から離間するので、体液が外部へ漏れ出るおそれがある。
【０００６】
一方、このような問題を回避するために、ストランド状のウエスト弾性要素を配設しない場合には、前後ウエスト域の着用者の肌へのフィット性が低下して、特に着用者の鼠径部の動きによって、着用中におむつの位置ずれや体液の横漏れを生じるおそれがある。
【０００７】
そこで、本発明は、着用中に大きな位置ずれを生じるおそれはなく、かつ、通気性に優れた使い捨ておむつの提供を課題としている。
【課題を解決するための手段】
【０００８】
前記課題を解決するために、本願発明が対象とするのは、縦方向及び横方向と、肌当接面側及びそれに対向する非肌当接面側と、前ウエスト域と、後ウエスト域と、前記前後ウエスト域間に位置するクロッチ域と、ウエスト開口及び一対のレッグ開口とを含み、前記前後ウエスト域のうちの少なくとも一方のウエスト域が伸縮可能である使い捨ておむつである。
【０００９】
本発明の特徴とするところは、前記一方のウエスト域が、前記非肌当接面側に位置する非伸縮性シートと、前記肌当接面側に位置する透湿性の伸縮性シートとを含み、前記非伸縮性シートと前記伸縮性シートとの間に前記縦方向へ延びる複数の通気路が形成されており、前記一方のウエスト域が、前記ウエスト開口縁部において前記横方向へ延びる第１伸縮域と、前記第１伸縮域と前記一方のウエスト域の内端縁との間において前記横方向へ延び、かつ、前記横方向へ延びるウエスト弾性要素が配設されていることによって前記第１伸縮域よりも高い伸長応力を有する第２伸縮域とに区分されており、前記第２伸縮域における前記通気路が、前記第１伸縮域におけるそれよりも幅狭であることにある。
【００１０】
本発明は、前記特徴とする構成のほかに、以下の好ましい実施の態様を含む。
（１）前記非伸縮性シートと前記伸縮性シートとが、前記縦方向へほぼ並行に延びる複数条の接着ラインによって接合されており、前記通気路が、隣り合う前記接着ラインどうしの間の前記非伸縮性シートが外方へ凸となることによって形成された管状である。
（２）前記前後ウエスト域を形成する環状ウエストパネルと、前記環状ウエストパネルの肌当接面側に取り付けられ、前記クロッチ域から前記前後ウエスト域へ延び、吸液性コアを有する吸収性シャーシとをさらに含む。
（３）前記ウエスト弾性要素が、前記吸収性シャーシの前後端縁部の上方において、前記一方のウエスト域の両側縁間を一連に延びる上方ウエスト弾性要素と、前横方向において離間対向する一対の下方ウエスト弾性要素とから構成されており、前記各下方ウエスト弾性要素が、前記一方のウエスト域の側縁から前記吸液性コアの両側縁の外方まで延びている。
（４）前記上方ウエスト弾性要素が前記下方ウエスト弾性要素と異なる伸長応力を有する。
（５）前記一方のウエスト域において、前記伸縮性シートと前記非伸縮性シートとを貫通する複数の通気孔が形成されている。
（６）前記ウエスト弾性要素が、前記横方向へ延びる複数条のストランド状の弾性部材からなる。
（７）前記伸縮性シートが親水性を有する。
【発明の効果】
【００１１】
本発明では、前後ウエスト域のうちの少なくとも一方のウエスト域の肌当接面側に伸縮性シートが位置しており、前後ウエスト域全体が適度なフィット性を有するとともに、該ウエスト域には、おむつ内の蒸気を排出するための通気路が形成されており、通気性に優れている。また、当該ウエスト域は、第１伸縮域と、ウエスト弾性要素が配設された第２伸縮域とに区分されており、第２伸縮域には、ウエスト弾性要素が配設されているので、第１伸縮域よりも高い伸長応力を有し、着用者の鼠径部の動きによっても、大きな位置ずれを生じるおそれはない。
【図面の簡単な説明】
【００１２】
【図１】第１実施形態を示すおむつの一部破断斜視図。
【図２】おむつの展開平面図。
【図３】前ウエストパネルの分解斜視図。
【図４】図１の矢印ＩＶから見た拡大図。
【図５】図１のＶ−Ｖ線断面図。
【図６】図１のＶＩ−ＶＩ線断面図。
【図７】第２実施形態を示すおむつの一部破断斜視図。
【図８】図７のＶＩＩＩ−ＶＩＩＩ線断面図。
【発明を実施するための形態】
【００１３】
＜第１実施形態＞
図１は、本発明の第１実施形態におけるおむつ１０を側面から見た一部破断斜視図、図２は、サイドシーム部を剥がして、おむつ１０を縦方向Ｙと横方向Ｘと伸展したときの展開平面図、図３は、前ウエストパネルの分解斜視図である。なお、図１のおむつは、前後ウエスト域１３，１４の第１伸縮域１３Ａ，１４Ａを横方向Ｘへ伸長したものであって、第２伸縮域１３Ｂ，１４Ｂは、収縮した状態を示しており、伸長時における両側縁部１８ｃ，１８ｃ，１９ｃ，１９ｃは、仮想線で示している。
【００１４】
図１に示すとおり、おむつ１０は、縦方向Ｙ及び横方向Ｘと、肌当接面側及び非肌当接面側と、おむつ１０の着用状態において環状を有する環状ウエストパネル１１と、環状ウエストパネル１１の内面、すなわち、肌当接面側に取り付けられた吸収性シャーシ１２と、前ウエスト域１３と、後ウエスト域１４と、前後ウエスト域１３，１４間に位置するクロッチ域１５と、ウエスト開口１６および一対のレッグ開口１７ａ，１７ｂとを含む。
【００１５】
図１及び２に示すとおり、環状ウエストパネル１１は、前ウエスト域１３を形成する前ウエストパネル１８と、後ウエスト域１４を形成する後ウエストパネル１９とから構成されている。
【００１６】
前ウエストパネル１８は、横方向へ延びる内端縁１８ａと、内端縁１８ａと縦方向Ｙにおいて対向する外端縁１８ｂと、内端縁１８ａと外端縁１８ｂとの間において縦方向Ｙへ延びる両側縁（前ウエスト域１３の両側縁）１８ｃ，１８ｃとによって、横長方形状に画成されている。同様に、後ウエストパネル１９は、横方向へ延びる内端縁１９ａと、内端縁１９ａと縦方向Ｙにおいて対向する外端縁１９ｂと、内端縁１９ａと外端縁１９ｂとの間において縦方向Ｙへ延びる両側縁（後ウエスト域１４の両側縁）１９ｃ，１９ｃとによって横長方形状に画成されている。なお、前後ウエストパネル１８，１９の両側縁１８ｃ，１９ｃは、後記の前後ウエスト弾性要素２４，３０の収縮作用によって収縮されており、収縮前の形状が仮想線で示されている。
【００１７】
前ウエストパネル１８の両側縁１８ｃ，１８ｃと後ウエストパネル１９の両側縁１９ｃ，１９ｃとは、互いに重ね合わせられて、縦方向Ｙへ間欠的に並ぶサイドシーム部２０において、公知の手段、例えば、熱エンボス加工、ソニックなどの各種の熱溶着手段で接合されることによって連結されている。
【００１８】
図２及び図３に示すとおり、前ウエストパネル１８は、非肌当接面側に位置する第１非伸縮性シート２１と、肌当接面側に位置し、透湿性を有する第１伸縮性シート２２とを含む。
【００１９】
第１伸縮性シート２２は、第１非伸縮性シート２１の内面に塗布されたホットメルト接着剤からなる複数条の接着ライン２３ａ，２３ｂを介して第１非伸縮性シート２１と接合されている。接着ライン２３ａ，２３ｂは、縦方向Ｙへ並行に延びる独立したストライプ状であって、隣り合う接着ライン２３ａ，２３ｂどうしは互いに横方向Ｘへ所与寸法離間している。
【００２０】
前ウエスト域１３は、ウエスト開口縁部１６ａに沿って横方向Ｘへ延びる第１伸縮域１３Ａと、第１伸縮域１３Ａと前ウエスト域１３の下端縁（前ウエストパネル１８の内端縁１８ａ）との間において横方向Ｘへ延びる第２伸縮域１３Ｂとに区分されている。
【００２１】
第２伸縮域１３Ｂにおける第１非伸縮性シート２１と第１伸縮性シート２２との間には、横方向Ｘへ並行に延びる、複数条のストランド状の弾性部材からなる前ウエスト弾性要素２４が配設されている。このように、肌当接面側に第１伸縮性シート２２が配置されているので、前ウエスト域１３全体が着用者の身体に適度にフィットする。また、第２伸縮域１３Ｂには、前ウエスト弾性要素２４が配設されているので、第１伸縮域１３Ａの伸長応力よりも高い伸長応力を有しており、着用者の鼠径部の動きによっても、大きな位置ずれを生じるおそれはない。一方、第１伸縮域１３Ａには、ウエスト弾性要素２４が配設されていないので、第１伸縮性シート２２がそれらの収縮による影響を受けることはなく、第１伸縮性シート２２に皺が寄って、第１伸縮性シート２２が着用者の肌から離間し、体液が外部へ漏れ出るおそれはない。
【００２２】
前ウエスト弾性要素２４は、吸収性シャーシ１２の前端部１２ａ上において横方向Ｘへ延びる上方ウエスト弾性要素２４Ａと、上方ウエスト弾性要素２４Ａの下方に位置し、横方向Ｘへ離間対向する一対の下方ウエスト弾性要素２４Ｂ，２４Ｃとから構成されている。
【００２３】
隣り合う接着ライン２３ａ，２３ｂ間の第１非伸縮性シート２１には、外方へ凸となる凸状部２６ａ，２６ｂが形成されており（図１参照）、凸状部２６ａ，２６ｂと第１伸縮性シート２２との間には、縦方向Ｙへ延びる管状の通気路２５が形成されている。ウエスト開口縁部１６ａには、通気路２５の上方開口部が形成されている。
【００２４】
図２に示されているように、第２伸縮域１３Ｂは、前ウエスト弾性要素２４の伸長応力の作用によって、収縮されており、それにより、第２伸縮域１３Ｂにおける通気路２５が、第１伸縮域１３Ａのそれよりも幅狭になっており、第２伸縮域１３Ｂの凸状部２６ｂは、第１伸縮域１３Ａの凸状部２６ａよりも小さくなっている。
【００２５】
後ウエストパネル１９は、非肌当接面側に位置する第２非伸縮性シート２７と、肌当接面側に位置する第２伸縮性シート２８とを含む。第２伸縮性シート２８は、第２非伸縮性シート２７の内面に塗布されたホットメルト接着剤からなる接着ライン２９ａ，２９ｂを介して第２非伸縮性シート２７と接合されている。接着ライン２９ａ，２９ｂは、縦方向Ｙへ並行に延びる独立したストライプ状であって、隣り合う接着ライン２９ａ，２９ｂどうしは互いに横方向Ｘへ所与寸法離間している。
【００２６】
後ウエスト域１４は、ウエスト開口縁部１６ａに沿って横方向Ｘへ延びる第１伸縮域１４Ａと、第１伸縮域１４Ａと後ウエスト域１４の下端縁（後ウエストパネル１９の内端縁１９ａ）との間において横方向Ｘへ延びる第２伸縮域１４Ｂとに区分されている。
【００２７】
第２伸縮域１４Ｂにおける第２非伸縮性シート２７と第２伸縮性シート２８との間には、横方向Ｘへ延びる複数条のストランド状の弾性部材からなる後ウエスト弾性要素３０が配設されている。前ウエスト域１３と同様に、肌当接面側に第２伸縮性シート２８が配置されているので、後ウエスト域１４全体が着用者の身体に適度にフィットする。また、第２伸縮域１４Ｂには、ウエスト弾性要素３０が配設されているので、第１伸縮域１４Ａの伸長応力よりも高い伸長応力を有しており、着用者の鼠径部の動きによっても、大きな位置ずれを生じるおそれはない。一方、第１伸縮域１４Ａには、後ウエスト弾性要素３０が配設されていないので、第２伸縮性シート２８がそれらの収縮による影響を受けることはなく、第２伸縮性シート２８に皺が寄って、第２伸縮性シート２８が着用者の肌から離間し、体液が漏出するおそれはない。
【００２８】
後ウエスト弾性要素３０は、吸収性シャーシ１２の後端縁部１２ｂ上において横方向Ｘへ延びる上方ウエスト弾性要素３０Ａと、上方ウエスト弾性要素３０Ａの下方に位置し、横方向Ｘへ離間対向する一対の下方ウエスト弾性要素３０Ｂ，３０Ｃとから構成されている。
【００２９】
隣り合う接着ライン２９ａ，２９ｂ間の第２非伸縮性シート２７には、外方へ凸となる凸状部２６ａ，２６ｂが形成されており、凸状部２６ａ，２６ｂと第２伸縮性シート２８との間には、縦方向へ延びる管状の通気路３１が形成されている。ウエスト開口縁部１６ａには、通気路３１の上方開口部が形成されている。
【００３０】
第２伸縮域１４Ｂは、ウエスト弾性要素３０の伸長応力によって収縮されており、それにより、第２伸縮域１４Ｂにおける通気路３１が、第１伸縮域１４Ａのそれよりも幅狭になっている。第２伸縮域１４Ｂの第２伸縮域１３Ｂの凸状部２６ｂは、第１伸縮域１３Ａの凸状部２６ａよりも小さくなっている。
【００３１】
なお、前後ウエストパネル１８，１９の各接着ライン２３ａ，２３ｂ，２９ａ，２９ｂは、着用者の肌に接触することを防止するために、ウエスト開口端縁部１６ａに塗工されていないことが好ましい。また、前後ウエストパネル１８，１９において、ウエスト開口縁から上方ウエスト弾性要素２４Ａ，３０Ａの最外端に位置する部位までの離間寸法Ｌ１，Ｌ２は、３０〜５０ｍｍであることが好ましい。３０ｍｍ以下の場合には、前後ウエスト弾性要素２４，３０の伸長応力がウエスト開口縁部１６ａの第１及び第２伸縮性シート２２，２８に作用するおそれがあるからである。
【００３２】
前後ウエストパネル１８，１９において、第１伸縮性シート２２の横方向Ｘの幅寸法は、第１非伸縮性シート２１のそれよりも小さく、第２伸縮性シート２８の横方向Ｘの幅寸法は第２非伸縮性シート２７のそれよりも小さいものであって、第１及び第２伸縮性シート２２，２８を、ぞれぞれ、第１及び第２非伸縮性シート２１，２７の幅寸法まで伸長させた後に接着ライン２３ａ，２３ｂ，２９ａ，２９ｂで接合することによって、第１及び第２非伸縮性シート２１，２７には皺が寄り、前述のとおり、縦方向Ｙへ延びる凸状部２６ａ，２６ｂが形成されている。
【００３３】
図２及び３に示すとおり、前後ウエストパネル１８，１９において、下方ウエスト弾性要素２４Ｂ，２４Ｃ，３０Ｂ，３０Ｃは、吸液性コア３５の両側縁の外方まで延びており、吸液性コア３５と重なっていない。下方ウエスト弾性要素２４Ｂ，２４Ｃ，３０Ｂ，３０Ｃが吸液性コア３５と重なっていないので、下方ウエスト弾性要素２４Ｂ，２４Ｃ，３０Ｂ，３０Ｃが収縮した場合であっても、その伸長応力が吸液性コア３５に及んで皺が形成されることはなく、吸液性コア３５の吸収性能が低下するおそれはない。
【００３４】
また、吸収性シャーシ１２の前後方向への移動を防止するために上方ウエスト弾性要素２４Ａ，３０Ａの伸長応力を下方ウエスト弾性要素２４Ｂ，２４Ｃ，３０Ｂ，３０Ｃの伸長応力よりも高くしてもよいし、吸収性シャーシ１２の横方向Ｘへの移動を防止するために、下方ウエスト弾性要素２４Ｂ，２４Ｃ，３０Ｂ，３０Ｃの伸長応力を上方ウエスト弾性要素２４Ａ，３０Ａのそれよりも高くしてもよい。
【００３５】
なお、前後ウエスト弾性要素２４，３０には、ストランド状の弾性部材を用いているが、同様の伸長応力を有する限りにおいては、シート状の弾性部材であってもよい。
【００３６】
第１及び第２伸縮性シート２２，２８には、透湿性かつ伸縮性のラミネート繊維不織布であって好ましくは親水性を有するもの、第１及び第２非伸縮性シート２１，２７には、疎水性繊維不織布と透湿性又は不透湿性のプラスチックシートからなるラミネートシートなどを用いることができる。第１及び第２伸縮性シート２２，２８が親水性を有する場合には、すばやく汗を吸収することができ、吸汗作用を向上させることができる。
【００３７】
より具体的に言えば、第１及び第２伸縮性シート２２，２８は、エラストマー繊維と非伸縮性の熱可塑性繊維からなる混合繊維不織布を公知のロール延伸手段等によって機械的に延伸したものであって、非伸長時の寸法よりも約１．５〜３．０倍に横方向Ｘへ伸長された状態で、それぞれ、第１及び第２非伸縮性シート２１，２７に接合されていることが好ましい。第１及び第２伸縮性シート２２，２８に使用されるエラストマー繊維は、ウレタン系やポリエチレン系の繊維であって、混合繊維不織布全体に対しての混合率は、２０〜７５質量％であることが好ましい。エラストマー繊維の混合率が２０質量％以下の場合には、熱可塑性繊維の割合が大きくなり過ぎて、伸縮性不織布に歪みが発生しやすくなり、エラストマー繊維の混合率が７５質量％以上の場合には、シート全体がべたつきやすくなり、シートの肌触りが低下するおそれがあるからである。
【００３８】
吸収性シャーシ１２は、横方向Ｘへ延びる前端縁１２ａと、縦方向Ｙにおいて前端縁１２ａと対向する後端縁１２ｂと、前後端縁１２ａ，１２ｂ間において縦方向Ｙへ延びる両側縁１２ｃ，１２ｃとによって縦長方形状に画成されている。
【００３９】
また、吸収性シャーシ１２は、肌当接面側に位置する透液性の内面シート３３と、非肌当接面側に位置する不透液性の外面シート３４と、内面シート３３と外面シート３４との間に介在された、フラッフパルプと高吸収性ポリマー（ＳＡＰ）との混合からなる吸液性コア３５とを含む。吸液性コア３５は、所要の形状に賦型されており、図示していないが、液拡散性シートで全体が被覆されていてもよい。
【００４０】
内面シート３３と外面シート３４とは、吸液性コア３５の周縁から外方へ延出して、ホットメルト接着剤を介して互いに固着されており、吸液性コア３５の両側縁の横方向Ｘの外方において縦方向Ｙへ延びるサイドフラップ３６と、吸液性コア３５の前後端縁の縦方向Ｙの外方において横方向Ｘへ延びるエンドフラップ３７とが形成されている。エンドフラップ３７は、ホットメルト接着剤を介して前後ウエストパネル１８，１９の内面に接合されており、おむつ１０の着用状態において、吸収性シャーシ１２は環状ウエストパネル１１に吊持された状態となっている。
【００４１】
サイドフラップ３６の外側縁、すなわち、吸収性シャーシ１２の両側縁１２ｃ沿いには、縦方向Ｙへ延びるストランド状の弾性要素３８，３９が配設されている。なお、図示されていないが、サイドフラップ３６には、排泄物の横漏れを防止するために、別体の不透液性のシート部材から作られた、または外面シート３４を内面シート３３よりもさらに横方向Ｘへ延出して折り返すことによって形成されたバリアカフが配置されていてもよい。
【００４２】
なお、本実施形態では、前後ウエスト域１３，１４が前記構成を有することによって、通気路２５，３１が形成されているが、前後ウエスト域１３，１４のうちの少なくとも一方がかかる構成を有するものであってもよい。また、前後ウエスト域１３，１４は、別体の前後ウエストパネル１８，１９によって画成されているが、それらが一体となっておむつ１０の外面を形成する連続したシート部材から形成されていてもよい。
【００４３】
図４は、図１の矢印ＩＶから見た前ウエスト域１３の一部拡大図、図５は、図１のＶ―Ｖ線断面図、図６は、図１のＶＩ−ＶＩ線断面図である。なお、各図は、前ウエスト域１３の構成について述べているが、後ウエスト域１４も同様の構成を有している。
【００４４】
図４及び５に示すとおり、通気路２５は、前ウエスト域１３を縦方向Ｙへ延びており、おむつ１０の内部に発生した蒸気が、おむつ１０の外部につながる上方開口部と下方開口部（図示せず）とから外部へ放出されるので、おむつ１０内部に蒸気が滞留することはなく、通気性が良い。特に、ウエスト開口端縁部１６ａの近傍では、着用者が発汗しやすいので、吸収した汗を蒸気として効果的に放出することができる。
【００４５】
＜第２実施形態＞
図７は、本発明の第２実施形態を示す図１と同様の斜視図、図８は、図７のＶＩＩＩ−ＶＩＩＩ線断面図である。
【００４６】
本実施形態では、前後ウエスト域１３，１４のほぼ全域に複数の通気孔４１が形成されている。具体的には、通気孔４１は、各接着ライン２３ａ，２３ｂ，２９ａ，２９ｂ間において、第１及び第２非伸縮性シート２１，２７と、第１及び第２伸縮性２２，２８とを貫通しており、第１及び第２非伸縮性シート２１，２７の凸状部２６ａ，２６ｂに外側通気孔４１ａが形成され、第１及び第２伸縮性シート２２，２８における、凸状部２６ａ，２６ｂと対向する部位には、内側通気孔４１ｂが形成されている。
【００４７】
本実施形態では、おむつ１０内に発生した蒸気が各内側通気孔４１ｂを通って、通気路２５に流入して、通気路２５の上方開口部２５ａと下方開口部、若しくは外側通気孔４１ａから直接おむつ１０の外部へ放出される。これにより、より通気性が向上し、おむつ１０内の蒸れを防止することができる。
【００４８】
また、通気孔４１から体液が漏れるのを防止するために、外側通気孔４１ａの幅寸法を内側通気孔４１ｂの幅寸法よりも大きく、すなわち、通気孔４１が外側から内側へ向かってテーパー状に形成されていることが好ましい。この場合には、内側通気孔４１ｂによっておむつ１０内部の蒸気が外部へ放出されて通気性に優れるとともに、外側通気孔４１ａからの体液の漏出を効果的に防止することができる。
【００４９】
このような効果を奏するためには、内側通気孔４１ｂの幅寸法が０．０１〜０．２６ｃｍであることが好ましい。さらに、より体液の漏れを防止するために、通気孔４１が第１及び第２非伸縮性シート２１，２７を貫通しておらず、第１及び第２伸縮性シート２２，２８のみを貫通し、内側通気孔４１ｂが通気路２５に連通していてもよい。
【００５０】
本発明では、ホットメルト接着剤から形成された、縦方向へ延びる複数条の各接着ライン２３ａ，２３ｂ，２９ａ，２９ｂによって、縦方向Ｙへ一連に延びる管状の通気路２５，３１が形成されているが、ホットメルト接着剤を縦方向Ｙへ間欠的に塗布して、隣り合う通気路２５，３１どうしを連通させたり、千鳥状に塗布して通気路２５，３１全体を連通させてもよい。
【００５１】
弾性ウエストパネル１１や吸収性シャーシ１２など、おむつ１０を構成する各構成部材には、本明細書中に記載されている材料のほかに、各種の公知の材料を制限なく用いることができる。また、おむつ１０は、パンツ型の使い捨ておむつに限らず、前後ウエスト域１３，１４のサイドシーム部が予め連結されていない、いわゆるオープン型の使い捨ておむつであってもよい。
【符号の説明】
【００５２】
１０              使い捨ておむつ
１１              環状ウエストパネル
１２              吸収性シャーシ
１３              前ウエスト域
１４              後ウエスト域
１５              クロッチ域
１６              ウエスト開口
１６ａ            ウエスト開口縁部
１７ａ，１７ｂ    レッグ開口縁部
１８              前ウエストパネル
１８ａ            前ウエストパネルの内端縁部（前ウエスト域の下端縁部）
１８ｃ，１８ｃ    前ウエストパネルの両側縁（前ウエスト域の両側縁）
１９              後ウエストパネル
２１，２７        非伸縮性シート
２２，２８        伸縮性シート
２３ａ，２３ｂ，２３ｃ，２９ａ，２９ｂ，２９ｃ  接着ライン
２４Ａ，３０Ａ    上方ウエスト弾性要素
２４Ｂ，２４Ｃ，３０Ｂ，３０Ｃ  下方ウエスト弾性要素
２５，３１        通気路
３５              吸液性コア
４１              通気孔
【図１】
2010200974.tif 000003
【図２】
2010200974.tif 000004
【図３】
2010200974.tif 000005
【図４】
2010200974.tif 000006
【図５】
2010200974.tif 000007
【図６】
2010200974.tif 000008
【図７】
2010200974.tif 000009
【図８】
2010200974.tif 000010